(57)【要約】      （修正有）【課題】塗装膜を有する接地端子とリード線とを導通させることができる接地治具を提供する。【解決手段】接地治具１は、仮設線３が接続され且つネジ孔１１１を有し且つ塗装膜２Ｂに距離をあけて対向配置される導電部材である保持部材１１と、塗装膜２Ｂと保持部材１１の間に設けられ、保持部材が接地端子から離れていかないように作用する磁石１２Ａ、１２Ｂと、導電部材であり且つ塗装膜２Ｂに対し進行するようにネジ孔１１１に螺合するネジ１３を備え、ネジ１３の先端部分１３Ａは、塗装膜２Ｂを貫通可能な形状を有する。【選択図】図２
2011228134.tif 000002
【特許請求の範囲】
【請求項１】
塗装膜を有する導電部材である接地端子とリード線とを導通させる接地治具であって、
前記リード線が接続され且つネジ孔を有し且つ前記塗装膜に距離をあけて対向配置される導電部材である保持部材と、
前記塗装膜と前記保持部材の間に設けられ、前記保持部材が前記接地端子から離れていかないようによう作用する固定手段と、
導電部材であり且つ前記塗装膜に対し進行するように前記ネジ孔に螺合するネジと、
前記ネジの先端に設けられ且つ塗装膜を貫通可能な形状を有する塗装貫通手段と
を備えることを特徴とする接地治具。
【請求項２】
前記塗装貫通手段は、前記ネジの先端と一体になっていることを特徴とする請求項１記載の接地治具。
【請求項３】
前記保持部材および前記接地端子は、磁性体であり、前記固定手段は、磁石であることを特徴とする請求項１記載の接地治具。
【請求項４】
前記固定手段は、前記保持部材に固定され且つ前記塗装膜を吸着するように配置された吸着手段であることを特徴とする請求項１記載の接地治具。
【請求項５】
前記固定手段は、接着テープまたはマジックテープ（登録商標）であることを特徴とする請求項１記載の接地治具。
【請求項６】
前記ネジの先端に取り付けられた第１の弾性部材受け部と、
前記第１の弾性部材受け部に対し可動自在に取り付けられた第２の弾性部材受け部と、
前記第１、第２の弾性部材受け部に挟まれて配置される弾性部材とを備え、
前記塗装貫通手段は、前記第２の弾性部材受け部の前記塗装膜側に設けられていることを特徴とする請求項１ないし５のいずれかに記載の接地治具。
【請求項７】
筒状の弾性部材と、前記弾性部材を貫通した前記ネジに螺合するナットとを備えることを特徴とする請求項１ないし６のいずれかに記載の接地治具。
【発明の詳細な説明】
【技術分野】
【０００１】
本発明は、塗装膜を有する接地端子と仮設線とを導通させることができる接地治具に関するものである。
【背景技術】
【０００２】
図９において、金属ラック１００には、図示しないプリント基板や設備が収容される。その設備の点検などで使用される測定器などは、金属ラック１００の接地端子２に接地される。接地にはリード線（仮設線）が使用されるので、その仮設線を接続するためのネジ孔が接地端子２にない場合、接地は困難である。
【０００３】
図１０において、リード線５は、図９の金属ラック１００に収容された設備などに接続されたものであり、リード線５の先端には圧着端子５１が圧着され、圧着端子５１がネジ５２で接地端子２に接続される。接地端子２に余分なネジ孔がなく、測定器などに接続した仮設線をネジによっては、接地端子２に接続できない。そこで、例えば、仮設線の先に「わに口クリップ」を設け、わに口クリップでネジ５２の頭を挟もうとしても、わに口クリップが滑り、ネジ５２の頭を挟むのは困難である。また、圧着端子５１も、わに口クリップでは挟みずらい。また、接地端子２を挟もうとしても、接地端子２は、通常は、塗装されているので、導通が図れない。
【先行技術文献】
【特許文献】
【０００４】
【特許文献１】特開２０００−２９９１４１号公報
【発明の概要】
【発明が解決しようとする課題】
【０００５】
本発明は、上記の課題に鑑みてなされたものであり、その目的とするところは、塗装膜を有する接地端子とリード線とを導通させることができる接地治具を提供することにある。
【課題を解決するための手段】
【０００６】
上記の課題を解決するために、本発明は、塗装膜を有する導電部材である接地端子とリード線とを導通させる接地治具であって、前記リード線が接続され且つネジ孔を有し且つ前記塗装膜に距離をあけて対向配置される導電部材である保持部材と、前記塗装膜と前記保持部材の間に設けられ、前記保持部材が前記接地端子から離れていかないようによう作用する固定手段と、導電部材であり且つ前記塗装膜に対し進行するように前記ネジ孔に螺合するネジと、前記ネジの先端に設けられ且つ塗装膜を貫通可能な形状を有する塗装貫通手段とを備えることを特徴とする。
【０００７】
例えば、前記塗装貫通手段は、前記ネジの先端と一体になっている。例えば、前記保持部材および前記接地端子は、磁性体であり、前記固定手段は、磁石である。例えば、前記固定手段は、前記保持部材に固定され且つ前記塗装膜を吸着するように配置された吸着手段である。例えば、前記固定手段は、接着テープまたはマジックテープ（登録商標）である。
【０００８】
例えば、前記接地治具は、前記ネジの先端に取り付けられた第１の弾性部材受け部と、前記第１の弾性部材受け部に対し可動自在に取り付けられた第２の弾性部材受け部と、前記第１、第２の弾性部材受け部に挟まれて配置される弾性部材とを備え、前記塗装貫通手段は、前記第２の弾性部材受け部の前記塗装膜側に設けられている。
【０００９】
例えば、前記接地治具は、筒状の弾性部材と、前記弾性部材を貫通した前記ネジに螺合するナットとを備える。
【発明の効果】
【００１０】
本発明に係る接地治具によれば、リード線が接続され且つネジ孔を有し且つ塗装膜に距離をあけて対向配置される導電部材である保持部材と、塗装膜と保持部材の間に設けられ、保持部材が接地端子から離れていかないようによう作用する固定手段と、導電部材であり且つ塗装膜に対し進行するようにネジ孔に螺合するネジと、ネジの先端に設けられ且つ塗装膜を貫通可能な形状を有する塗装貫通手段とを備えることで、塗装膜を有する接地端子とリード線とを導通させることができる。
【図面の簡単な説明】
【００１１】
【図１】第１の実施の形態に係る接地治具の斜視図である。
【図２】第１の実施の形態に係る接地治具の作用を示す正面図である。
【図３】第２の実施の形態に係る接地治具の斜視図である。
【図４】第２の実施の形態に係る接地治具の作用を示す正面図である。
【図５】第３の実施の形態に係る接地治具の斜視図である。
【図６】第３の実施の形態に係る接地治具の作用を示す正面図である。
【図７】第４の実施の形態に係る接地治具の作用を示す正面図である。
【図８】第５の実施の形態に係る接地治具の作用を示す正面図である。
【図９】プリント基板や設備を収容する金属ラックの斜視図である。
【図１０】金属ラックに設けられた接地端子の斜視図である。
【発明を実施するための形態】
【００１２】
以下、本発明の実施の形態について図面を参照して説明する。
【００１３】
［第１の実施の形態］
図１は、第１の実施の形態に係る接地治具の斜視図であり、図２は、接地治具の作用を示す正面図である。
【００１４】
接地治具１は、接地端子２と仮設線３とを導通させる接地治具である。接地端子２は、ネジまたは溶接などにより、金属ラックの底板４などに取り付けられる。接地端子２は、板状の導電部材２Ａと塗装膜２Ｂを有する。
【００１５】
接地端子２には、リード線５が接続される。リード線５の先端には圧着端子５１が圧着され、圧着端子５１がネジ５２で接地端子２に接続される。リード線５は、接地端子２を設けた金属ラック内の設備などに接続される。
【００１６】
仮設線３は、リード線であり、仮設線３には、例えば、金属ラック内の設備の点検などに使用される測定器などが接続される。
【００１７】
接地端子２には、余分なネジ孔はなく、仮設線３をリード線５と同様に接続するのは困難である。
【００１８】
接地治具１は、保持部材１１と、磁石１２Ａ、１２Ｂと、ネジ１３とを備える。
【００１９】
保持部材１１は、導電部材であり且つ磁性体（鉄など）であり、保持部材１１には仮設線３が接続される。よって、保持部材１１と仮設線３は導通している。例えば、仮設線３の先端には圧着端子３１が圧着され、圧着端子３１がネジ３２で保持部材１１に接続される。
【００２０】
保持部材１１は、ネジ孔１１１を有し且つ塗装膜２Ｂに距離をあけて対向配置される。
【００２１】
磁石１２Ａ、１２Ｂは、塗装膜２Ｂと保持部材１１の間に設けられ、保持部材１１が接地端子２から離れないよう作用する。
【００２２】
ネジ１３は、鉄などの導電部材であり、塗装膜２Ｂに対し進行するようにネジ孔１１１に螺合する。ネジ１３は、例えば、手で締められる蝶ネジである。ネジ１３は、工具を用いてで締めるタイプのものであってもよい。
【００２３】
ネジ１３の先端部分１３Ａは、例えば、鋭利な形状や凹凸を有する形状に形成される。
【００２４】
図２（ａ）に示すように、ネジ１３をネジ孔１１１に螺合させると、ネジ１３と保持部材１１が導通する。さらに、ネジ１３を回転させ、接地端子２の方へ進行させると、図２（ｂ）に示すように、ネジ１３の先端部分１３Ａが塗装膜２Ｂを貫通し、導電部材２Ａに達して止まる。これにより、接地端子２とネジ１３が導通する。よって、接地端子２は、ネジ１３と保持部材１１を介して、仮設線３と導通する。
【００２５】
なお、接地治具１を接地端子２から外す場合は、さらにネジ１３を回転させればよい。ネジ１３の進行は、導電部材２Ａに阻まれ、よって、保持部材１１に反力が加わる。この力が磁石１２Ａ、１２Ｂの磁力を超えたなら、接地治具１は接地端子２から外れる。
【００２６】
ネジ１３により破れた塗装膜２Ｂは、例えば、絶縁性を有する防錆テープで覆うか、または塗装を行って修復すればよい。以下の各実施の形態でも同様である。
【００２７】
したがって、第１の実施の形態に係る接地治具によれば、仮設線３が接続され且つネジ孔１１１を有し且つ塗装膜２Ｂに距離をあけて対向配置される導電部材である保持部材１１と、塗装膜２Ｂと保持部材１１の間に設けられ、保持部材が接地端子から離れていかないように作用する磁石１２Ａ、１２Ｂと、導電部材であり且つ塗装膜２Ｂに対し進行するようにネジ孔１１１に螺合するネジ１３を備え、ネジ１３の先端部分１３Ａは、塗装膜２Ｂを貫通可能な形状を有するので、余分なネジ孔がない接地端子２であっても、その接地端子２に仮設線３を導通させることができ、その結果、測定器などを接地させることができる。
【００２８】
また、さらにネジ１３を回転させれば、保持部材１１は接地端子２から外れ、よって、取り外しが容易である。
【００２９】
［第２の実施の形態］
図３は、第２の実施の形態に係る接地治具の斜視図であり、図４は、接地治具の作用を示す正面図である。第２の実施の形態に係る接地治具１０は、第１の実施の形態に係る接地治具１に類似した構成を有する。そこで、同一または類似の要素には同一符号を付して、重複説明を省略し、差異を中心に説明を行う。
【００３０】
接地治具１０は、保持部材１１と、吸着部材１０１Ａ、１０１Ｂと、ネジ１３とを備える。保持部材１１は、鉄、真鍮、ステンレスなどの導電部材である。吸着部材１０１Ａ、１０１Ｂは、お椀型の弾性部材など（ゴムなど）である。吸着部材１０１Ａ、１０１Ｂは、取付具１０２Ａ、１０２Ｂにより保持部材１１に取り付けられる。
【００３１】
図４（ａ）に示すように、吸着部材１０１Ａ、１０１Ｂを接地端子２側に開口するように向け、図４（ｂ）に示すように、接地端子２に押しつけると、吸着部材１０１Ａ、１０１Ｂが拉げ、接地端子２に吸着する。
【００３２】
また、第１の実施の形態と同様に、ネジ孔１１１に螺合したネジ１３を進行させることで、接地端子２と仮設線３と導通させることができる。
【００３３】
さらにネジ１３を回転させたときに保持部材１１に加わる反力が、吸着部材１０１Ａ、１０１Ｂの吸着力を超えたなら、接地治具１は接地端子２から外れる。
【００３４】
したがって、第２の実施の形態に係る接地治具によれば、仮設線３が接続され且つネジ孔１１１を有し且つ塗装膜２Ｂに距離をあけて対向配置される導電部材である保持部材１１と、塗装膜２Ｂと保持部材１１の間に設けられ、保持部材が接地端子から離れていかないように作用する吸着部材１０１Ａ、１０１Ｂと、導電部材であり且つ塗装膜２Ｂに対し進行するようにネジ孔１１１に螺合するネジ１３とを備え、ネジ１３の先端部分１３Ａは、塗装膜２Ｂを貫通可能な形状を有するので、余分なネジ孔がない接地端子２であっても、その接地端子２に仮設線３を導通させることができ、その結果、測定器などを接地させることができる。
【００３５】
また、さらにネジ１３を回転させれば、保持部材１１は接地端子２から外れ、よって、取り外しが容易である。
【００３６】
［第３の実施の形態］
図５は、第３の実施の形態に係る接地治具の斜視図であり、図６は、接地治具の作用を示す正面図である。第３の実施の形態に係る接地治具２０は、第１、第２の実施の形態に係る接地治具に類似した構成を有する。そこで、同一または類似の要素には同一符号を付して、重複説明を省略し、差異を中心に説明を行う。
【００３７】
接地治具２０は、保持部材１１と、両面テープ２０１Ａ、２０１Ｂと、ネジ１３とを備える。保持部材１１は、導電部材を曲げて作られ、これにより、脚部１１Ａ、１１Ｂ、中央部１１Ｃが形成される。これにより、中央部１１Ｃが接地端子２と距離をあけて対向する。ネジ孔１１１は、中央部１１Ｃに形成される。両面テープ２０１Ａ、２０１Ｂは、脚部１１Ａ、１１Ｂと塗装膜２Ｂとの間に介在し、保持部材１１が接地端子２から離れないよう作用する。
【００３８】
第１の実施の形態などと同様に、ネジ孔１１１に螺合したネジ１３を進行させることで、接地端子２と仮設線３と導通させることができる。
【００３９】
さらにネジ１３を回転させたときに保持部材１１に加わる反力が、両面テープ２０１Ａ、２０１Ｂの粘着力を超えたなら、接地治具１は接地端子２から外れる。
【００４０】
したがって、第３の実施の形態に係る接地治具によれば、仮設線３が接続され且つネジ孔１１１を有し且つ塗装膜２Ｂに距離をあけて対向配置される導電部材である保持部材１１と、塗装膜２Ｂと保持部材１１の間に設けられ、保持部材が接地端子から離れていかないように作用する両面テープ２０１Ａ、２０１Ｂと、導電部材であり且つ塗装膜２Ｂに対し進行するようにネジ孔１１１に螺合するネジ１３を備え、ネジ１３の先端部分１３Ａは、塗装膜２Ｂを貫通可能な形状を有するので、余分なネジ孔がない接地端子２であっても、その接地端子２に仮設線３を導通させることができ、その結果、測定器などを接地させることができる。
【００４１】
また、さらにネジ１３を回転させれば、保持部材１１は接地端子２から外れ、よって、取り外しが容易である。
【００４２】
なお、第３の実施の形態では、両面テープ２０１Ａ、２０１Ｂを使用したが、これに代えて、マジックテープ（登録商標）を使用してもよい。つまり、マジックテープ（登録商標）を構成する一方のテープを脚部１１Ａ、１１Ｂに、他方のテープを接地端子２に付けておき、使用時は両者を結合させ、使用後は、さらにネジ１３を回転させて、両者を分離させてもよい。
【００４３】
［第４の実施の形態］
図７は、第４の実施の形態に係る接地治具の構成と作用を示す正面図である。第４の実施の形態に係る接地治具３０は、第１の実施の形態に係る接地治具１に類似した構成を有する。そこで、同一または類似の要素には同一符号を付して、重複説明を省略し、差異を中心に説明を行う。
【００４４】
接地治具３０は、保持部材１１と、磁石１２Ａ、１２Ｂと、ネジ１３と、ネジ１３の先端に取り付けられた第１の弾性部材受け部１３１と、弾性部材受け部１３１に対し可動自在に取り付けられた第２の弾性部材受け部１３２と、弾性部材受け部１３１、１３２に挟まれて配置される弾性部材１３３とを備える。弾性部材受け部１３２の塗装膜２Ｂ側の部分１３２Ａは、鋭利な形状や凹凸を有する形状に形成される。弾性部材１３３は、電気抵抗の低いコイルバネや金属弾性体などである。
【００４５】
図７（ａ）に示すように、ネジ１３はネジ孔１１１に螺合しており、ネジ１３と保持部材１１は導通している。ネジ１３を回転させ、接地端子２の方へ進行させると、図７（ｂ）に示すように、弾性部材受け部１３２の塗装膜２Ｂ側の部分１３２Ａが塗装膜２Ｂを貫通し、導電部材２Ａに達して止まる。これにより、接地端子２とネジ１３が導通する。よって、接地端子２は、ネジ１３と保持部材１１を介して、仮設線３と導通する。
【００４６】
また、弾性部材１３３が縮むことで、弾性部材１３３は、弾性部材受け部１３１、１３２に反発力Ｆ１、Ｆ２を与える。反発力Ｆ１により、ネジ１３のネジ山がネジ孔１１１に強く噛み合い、その結果、ネジ１３の緩みを防止することができる。よって、接地治具３０は、振動の多い場所での使用に好適である。
【００４７】
なお、第１の実施の形態などと同様に、さらにネジ１３を回転させれば、保持部材１１は接地端子２から外れる。
【００４８】
したがって、第４の実施の形態に係る接地治具３０によれば、ネジ１３の先端に取り付けられた第１の弾性部材受け部１３１と、弾性部材受け部１３１に対し可動自在に取り付けられた第２の弾性部材受け部１３２と、弾性部材受け部１３１、１３２に挟まれて配置される弾性部材１３３とを備え、弾性部材受け部１３２の塗装膜２Ｂ側の部分１３２Ａが塗装膜２Ｂを貫通可能な形状を有するので、余分なネジ孔がない接地端子２であっても、その接地端子２に仮設線３を導通させることができ、また、ネジ１３の緩みを防止することができる。
【００４９】
［第５の実施の形態］
図８は、第５の実施の形態に係る接地治具の構成と作用を示す正面図である。第５の実施の形態に係る接地治具４０は、第１の実施の形態に係る接地治具１に類似した構成を有する。そこで、同一または類似の要素には同一符号を付して、重複説明を省略し、差異を中心に説明を行う。
【００５０】
接地治具４０は、保持部材１１と、磁石１２Ａ、１２Ｂと、ネジ１３と、筒状の弾性部材１３５と、弾性部材１３５を貫通したネジ１３に螺合するナット１３６とを備える。弾性部材１３５は、コイルバネや筒状のエラストマなどである。弾性部材１３５とナット１３６の間にはワッシャー１３７が挟まれている。
【００５１】
図８（ａ）に示す状態では、弾性部材１３５には外力が加わっておらず、ネジ１３を回転させ、接地端子２の方へ進行させると、図８（ｂ）に示すように、弾性部材受け部１３２の塗装膜２Ｂ側の部分１３２Ａが塗装膜２Ｂを貫通し、導電部材２Ａに達して止まる。これにより、接地端子２とネジ１３が導通する。よって、接地端子２は、ネジ１３と保持部材１１を介して、仮設線３と導通する。
【００５２】
この状態から、ナット１３６を締めると、弾性部材１３５が縮み、弾性部材１３５は、保持部材１１とワッシャー１３７に反発力Ｆ１、Ｆ２を与える。反発力Ｆ１により、ネジ１３のネジ山がネジ孔１１１に強く噛み合い、その結果、ネジ１３の緩みを防止することができる。よって、接地治具４０は、振動の多い場所での使用に好適である。
【００５３】
なお、ナット１３６を緩め、第１の実施の形態などと同様に、さらにネジ１３を回転させれば、保持部材１１は接地端子２から外れる。
【００５４】
したがって、第５の実施の形態に係る接地治具４０によれば、筒状の弾性部材１３５と、弾性部材１３５を貫通したネジ１３に螺合するナット１３６とを備えることで、ネジ１３の緩みを防止することができる。
【符号の説明】
【００５５】
１、１０、２０、３０、４０…接地治具
２…接地端子
２Ａ…導電部材
２Ｂ…塗装膜
３…仮設線
４…底板
５…リード線
１１…保持部材
１１Ａ…保持部材１１の脚部
１１Ｃ…保持部材１１の中央部
１２Ａ、１２Ｂ…磁石
１３、３２、５２…ネジ
１３Ａ…ネジ１３の先端部分
３１、５１…圧着端子
１００…金属ラック
１０１Ａ、１０１Ｂ…吸着部材
１０２Ａ、１０２Ｂ…取付具
１１１…ネジ孔
１３１…第１の弾性部材受け部
１３２…第２の弾性部材受け部
１３２Ａ…第２の弾性部材受け部１３２の塗装膜２Ｂ側の部分
１３３、１３５…弾性部材
１３６…ナット
１３７…ワッシャー
２０１Ａ、２０１Ｂ…両面テープ
【図１】
2011228134.tif 000003
【図２】
2011228134.tif 000004
【図３】
2011228134.tif 000005
【図４】
2011228134.tif 000006
【図５】
2011228134.tif 000007
【図６】
2011228134.tif 000008
【図７】
2011228134.tif 000009
【図８】
2011228134.tif 000010
【図９】
2011228134.tif 000011
【図１０】
2011228134.tif 000012